(57)【特許請求の範囲】
【請求項１】
浴槽を支持する浴槽側フレームと、洗い場ユニットとを並べて床スラブ上に設置し、高さ調整機構により浴槽側フレーム及び洗い場ユニットのレベルを調整可能とするようにしたユニットバスの構造において、浴槽側フレームの洗い場側と反対側の端部、及び洗い場ユニットの浴槽側と反対側の端部に、高さ調整機構を有する支持脚をそれぞれ設けると共に、浴槽側フレームの洗い場側の端部に高さ調整機構を有していない支持脚を設け、洗い場ユニットの浴槽側の端部を、高さ調整機構を有していない支柱を介して浴槽側フレームの洗い場側の端部の上面に支持してなることを特徴とするユニットバスの構造。
【請求項２】
浴槽側フレームは浴槽架台の下面を支持する鋼材を備えており、洗い場側の端部に位置する鋼材の高さが洗い場側と反対側の端部に位置する鋼材の高さよりも低くなるように、上下方向に段差を持たせたことを特徴とする請求項１又は請求項２記載のユニットバスの構造。
【請求項３】
高さ調整機構を有していない支柱を浴槽側フレームの洗い場側の端部から一体に立設し、この支柱と洗い場ユニットの下面部とを固定具にて固定してなることを特徴とする請求項１又は請求項２記載のユニットバスの構造。
【発明の詳細な説明】
【０００１】
【発明の属する技術分野】
本発明は、ユニットバスの構造に関するものである。
【０００２】
【従来の技術】
従来のユニットバスにおいて、搬送、施工の容易さ等を考慮して分割式の床ハーフが使用されている。その一例を図１０、図１１に示す。浴槽１を支持する浴槽側フレーム２と、洗い場ユニット３とが並べて床スラブ１１上に設置されている。浴槽側フレーム２と洗い場ユニット３とは独立しており、浴槽側フレーム２の洗い場側の端部２ａ及び洗い場側と反対側の端部２ｂ、さらに洗い場ユニット３の浴槽１側の端部３ａ及び浴槽１側と反対側の端部３ｂには、アジャスタボルトからなる支持脚７ａ〜７ｄが垂設されており、浴槽側フレーム２と洗い場ユニット３のレベル調整を独立して行うことができるようにしている。
【０００３】
【発明が解決しようとする課題】
ところが、従来のようなレベル調整方式では、アジャスタボルトによる高さ調整によって、浴槽側フレーム２と洗い場ユニット３のそれぞれのレベル調整ができるが、これだけでは双方が同一レベルに調整されていない場合があり、その場合は再調整が必要となる。特に図１１に示すように、浴槽１のフランジ部１ａと洗い場ユニット３のエプロン部５の上端縁５ａとが略同一レベルとなるように調整する必要があり、この調整作業はきわめて困難であった。
【０００４】
本発明は、上記の従来例の問題点に鑑みて発明したものであって、その目的とするところは、１つの浴槽側フレームに対して洗い場ユニットと浴槽との両方を支持することで、浴槽のフランジ部と洗い場ユニットのエプロン部の上端縁とが自動的に同一レベルとなり、また、高さ調整機構による浴槽側フレームと洗い場ユニットのレベル調整によって双方を同一レベルに調整でき、省施工化と低コスト化を図ることができるユニットバスの構造を提供するにある。
【０００５】
【課題を解決するための手段】
上記課題を解決するために請求項１記載の発明にあっては、浴槽１を支持する浴槽側フレーム２と、洗い場ユニット３とを並べて床スラブ１１上に設置し、高さ調整機構により浴槽側フレーム２及び洗い場ユニット３のレベルを調整可能とするようにしたユニットバスの構造において、浴槽側フレーム２の洗い場側と反対側の端部２ｂ、及び洗い場ユニット３の浴槽１側と反対側の端部３ｂに、高さ調整機構を有する支持脚７ｂ、７ｃをそれぞれ設けると共に、浴槽側フレーム２の洗い場側の端部２ａに高さ調整機構を有していない支持脚７ａを設け、洗い場ユニット３の浴槽１側の端部３ａを、高さ調整機構を有していない支柱８を介して浴槽側フレーム２の洗い場側の端部２ａの上面に支持してなることを特徴としており、このように構成することで、１つの浴槽側フレーム２に対して洗い場ユニット３と浴槽１との両方が支持された形となり、これにより浴槽１のフランジ部１ａと洗い場ユニット３のエプロン部５の上端縁５ａとが自動的に同一レベルとなる。また浴槽側フレーム２のレベル調整と、洗い場ユニット３の浴槽１側と反対側の端部３ｂのレベル調整とを行うだけで、双方を同一レベルに調整することができる。
【０００６】
また浴槽側フレーム２の洗い場側の端部２ａを支持する支持脚７ａは高さ調整機構を有していないので、浴槽１のフランジ部１ａと洗い場ユニット３のエプロン部５の上端縁５ａとのレベルが固定されるようになり、且つ、浴槽側フレーム２及び洗い場ユニット３のそれぞれの水平出しが容易となる。
【０００７】
また請求項２記載の発明は、請求項１において、浴槽側フレーム２は浴槽架台の下面を支持する鋼材３０、３１を備えており、洗い場側の端部２ａに位置する鋼材３１の高さが洗い場側と反対側の端部２ｂに位置する鋼材３０の高さよりも低くなるように、上下方向に段差Ａを持たせたことを特徴とするのが好ましく、この場合、仮りに浴槽１の全高が製造誤差などで変化しても、この浴槽部品の公差を段差Ａによって吸収できるようになる。
【０００８】
また請求項３記載の発明は、請求項１又は請求項２において、高さ調整機構を有していない支柱８を浴槽側フレーム２の洗い場側の端部２ａから一体に立設し、この支柱８と洗い場ユニット３の下面部３ｃとを固定具１０にて固定してなることを特徴とするのが好ましく、この場合、浴槽側フレーム２に対する洗い場ユニット３の取り付け作業が容易となる。
【０００９】
【発明の実施の形態】
以下、本発明を添付図面に示す実施形態に基づいて説明する。
【００１０】
図１〜図４は本発明の基本概念を説明する図である。このユニットバスは、図１、図２に示すように、浴槽１を支持する浴槽側フレーム２と、洗い場ユニット３とが床スラブ１１上に並べて設置されている。洗い場ユニット３と床スラブ１１との隙間には、トラップや排水管などの各種の配管が設置されるようになっている。
【００１１】
上記浴槽側フレーム２上には、浴槽１の下面に固定される浴槽架台１２が設置されるようになっている。
【００１２】
洗い場ユニット３は、本例では洗い場床パン４と、洗い場床パン４のエプロン部５とで構成されている。
【００１３】
上記浴槽側フレーム２の洗い場側の端部２ａ及び洗い場側と反対側の端部２ｂには高さ調整機構を有する支持脚７ａ、７ｂが垂設され、また洗い場ユニット３の浴槽１側と反対側の端部３ｂには高さ調整機構を有する支持脚７ｃが垂設されている。本例では高さ調整機構を有する支持脚７ａ〜７ｃとして、アジャスタボルトが使用されているが、アジャスタボルト以外のものであってもよい。アジャスタボルトからなる支持脚７ａ〜７ｃは、浴槽側フレーム２及び洗い場ユニット３を床スラブ１１から一定距離浮かせた状態で保持するために使用されると共に、浴槽側フレーム２及び洗い場ユニット３のレベル調整を行うために使用される。また、上記洗い場床パン４の浴槽１側の端部３ａに設けられる支柱８はアジャスタボルトではなく、高さ調整機構を持っていない。この支柱８は、洗い場床パン４の浴槽１側の端部３ａを浴槽側フレーム２の洗い場側の端部２ａの上面に支持されるものであり、本例では、図３に示すように、浴槽側フレーム２の洗い場側の端部２ａの両端２箇所に、左右２本の支柱８が立設されている。
【００１４】
上記２本の支柱８間には、複数の固定片１５と複数の支柱キャップ部１６ａとを有する細長い連結金具１６が架設されている。支柱キャップ部１６ａを、図８に示すように、支柱８の上端部に被せることで、連結金具１６が支柱８に取り付けられる。固定片１５は連結金具１６の前端部から上方に向けて突出している。一方、洗い場床パン４の下面部３ｃには、支柱８に取り付けられる水平部３ｄと垂直部３ｅとが設けられており、洗い場床パン４の水平部３ｄを連結金具１６上面に載置した状態で、固定片１５が洗い場床パン４の垂直部３ｅに沿うようになり、ネジ等の固定具１０を図８の矢印で示す側方から固定片１５を貫通して洗い場床パン４の垂直部３ｅに締め込むことによって、支柱８と洗い場床パン４とを側方から固定できるようになっている。
【００１５】
そして、上記浴槽側フレーム２上に浴槽架台１２を設置し、この浴槽架台１２に浴槽１を設置したときには、図１に示すように、浴槽１のフランジ部１ａと洗い場床パン４のエプロン部５の上端縁５ａとが略同一レベルとなるように構成されている。ここでは図６に示すように、浴槽１のフランジ部１ａの下面にパッキン１７を取着し、フランジ部１ａをエプロン部５の上端縁５ａに載置することで、エプロン部５の上端縁５ａに設けた突起５ｂがパッキン１７に圧入されることで、フランジ部１ａとエプロン部５とが水密的にシールされるようになっている。
【００１６】
しかして、先ず、図３、図４に示すように、浴槽側フレーム２の洗い場側の端部２ａに立設した支柱８に連結金具１６を装着し、その上から洗い場床パン４の浴槽１側の端部３ａの下面部３ｃを載置して上記のように連結金具１６の固定片１５を固定具１０にて洗い場床パン４に固定する。その後、浴槽側フレーム２の支持脚７ａと、洗い場床パン４の支持脚７ｃとによって、洗い場床パン４のレベル調整を行う。この段階では浴槽１は未だ設置されず、レベル調整作業を容易に行うことができる。その後、浴槽側フレーム２の洗い場側の支持脚７ａは不動のままにして、洗い場側と反対側の支持脚７ｂによって浴槽側フレーム２のレベル調整を行うことができる。その後、浴槽側フレーム２と浴槽架台１２とを図５に示す固定金具４０を用いて固定し、最後に、図９に示すように浴槽１を設置する。
【００１７】
上記のように、浴槽側フレーム２の洗い場側の端部２ａの上面に、高さ調整機構を有していない支柱８を介して、洗い場床パン４の浴槽１側の端部３ａを支持したので、浴槽側フレーム２に対して洗い場床パン４と浴槽１との両方を支持できる構造となる。しかも、浴槽１のフランジ部１ａと洗い場床パン４のエプロン部５の上端縁５ａとが自動的に同一レベルとなるので、従来のようなアジャスタボルトによって浴槽１のフランジ部１ａと洗い場床パン４のエプロン部５の上端縁５ａとを同一レベルに調整する作業が不要となる。しかも図６に示すように、フランジ部１ａとエプロン部５の上端縁５ａとの間にパッキン１７を介在させることで、フランジ部１ａとエプロン部５との隙間を簡単に水密的にシールできるようになる。
【００１８】
また、浴槽側フレーム２の支持脚７ａ，７ｂにてレベル調整を行うことで、洗い場床パン４の浴槽１側の端部３ａがレベル調整され、また洗い場床パン４の支持脚７ｃにてレベル調整を行うだけで、双方を同一レベルに調整することができ、従来のような再調整など
が不要となり、省施工化を図ることができる。
【００１９】
さらに、洗い場床パン４の支柱８はアジャスタボルトではないため、浴槽側フレーム２よりも洗い場ユニット３のアジャスタボルトの数を減らすことができるという利点もある。
【００２０】
また本例では、洗い場床パン４の高さ調整機構のない支柱８を、浴槽側フレーム２と一体に設け、連結金具１６にて洗い場床パン４と浴槽側フレーム２とを連結するようにしている。このため、洗い場床パン４の端部を連結金具１６に載置する作業と、固定具１０による固定作業を行うだけで、浴槽側フレーム２と洗い場ユニット３とを簡単且つ確実に連結できるようになり、作業の簡略化を図ることができると共に、固定具１０を側方から打入できるようにしたので、狭い場所での作業がし易いという利点もある。
【００２１】
なお、上記高さ調整機構を有していない支柱８を、浴槽側フレーム２側に設けた場合を説明したが、もちろん、洗い場床パン４側に設けてもよいものである。
【００２２】
本発明の実施形態は、浴槽側フレーム２の支持脚７ａを、アジャスタボルトではなく、高さ調整機構のない支柱で構成している。この場合は、浴槽１のフランジ部１ａと洗い場床パン４のエプロン部５の上端縁５ａとのレベルが固定され、浴槽側フレーム２の支持脚７ａと洗い場床パン４の支持脚７ｃとによって、浴槽側フレーム２及び洗い場床パン４のそれぞれの水平出しができるようになると共に、アジャスタボルトの数をさらに減らすことができる。なおこのように構成すると、浴槽１の全高が製造誤差などで大きくなった場合は、浴槽１の全高を調整する方法がなくなる。そこでこの場合を考慮して、図７に示すように、浴槽側フレーム２を構成するフレーム構成部品（例えば、鋼材３０、３１）のうち、洗い場側の端部２ａに位置する鋼材３１の高さが洗い場側と反対側の端部２ｂに位置する鋼材３０の高さよりも低くなるように、上下方向に段差Ａを持たせるようにする。これにより、浴槽１の全高が高い場合は、その高い分の誤差を上記段差Ａによって吸収できるようになり、逆に、浴槽１の全高が低い場合は、低い側の鋼材３１と浴槽架台１２の下面との間にスペーサを挿入して高くなるように調整できるようになる。このように浴槽部品の公差を段差Ａによって吸収できるようになる。
【００２３】
【発明の効果】
上述のように請求項１記載の発明にあっては、浴槽を支持する浴槽側フレームと、洗い場ユニットとを並べて床スラブ上に設置し、高さ調整機構により浴槽側フレーム及び洗い場ユニットのレベルを調整可能とするようにしたユニットバスの構造において、浴槽側フレームの洗い場側と反対側の端部、及び洗い場ユニットの浴槽側と反対側の端部に、高さ調整機構を有する支持脚をそれぞれ設けると共に、浴槽側フレームの洗い場側の端部に高さ調整機構を有していない支持脚を設け、洗い場ユニットの浴槽側の端部を、高さ調整機構を有していない支柱を介して浴槽側フレームの洗い場側の端部の上面に支持してなるので、１つの浴槽側フレームに対して洗い場ユニットと浴槽との両方が支持された形となる。従って、例えば、洗い場ユニットにエプロン部が一体に設けられている場合であっても、浴槽のフランジ部と洗い場ユニットのエプロン部の上端縁とが自動的に同一レベルとなるので、従来のように高さ調整機構によって浴槽のフランジ部と洗い場ユニットのエプロン部の上端縁とが同一レベルとなるように調整する作業が不要となる。また、浴槽側フレームのレベル調整と、洗い場ユニットの浴槽側と反対側の端部のレベル調整とを行うだけで、双方を同一レベルに調整することができ、省施工化を図ることができる。さらに、洗い場ユニットの浴槽側の端部の高さ調整機構を省略できるので、作業性が良くなり、コストダウンを図ることができる。
【００２４】
また上記浴槽側フレームの洗い場側の端部を支持する支持脚は高さ調整機構を有していないので、浴槽のフランジ部と洗い場ユニットのエプロン部の上端縁とのレベルが固定されるようになり、且つ、浴槽側フレームの洗い場側と反対側の端部の高さ調整機構と、洗い場ユニットの浴槽側と反対側の端部の高さ調整機構とによって、浴槽側フレーム及び洗い場ユニットのそれぞれの水平出しが容易となる。
【００２５】
また請求項２記載の発明は、請求項１記載の効果に加えて、浴槽側フレームは浴槽架台の下面を支持する鋼材を備えており、洗い場側の端部に位置する鋼材の高さが洗い場側と
反対側の端部に位置する鋼材の高さよりも低くなるように、上下方向に段差を持たせたので、仮りに浴槽の全高が製造誤差などで大きくなった場合は、上記段差によって浴槽の高い分の誤差を吸収できるようになり、また、浴槽が低い場合は、低い側のフレーム構成部品と浴槽架台の下面との間にスペーサを挿入することで調整できるようになる。つまり、浴槽側フレームの支持脚を、高さ調整機構のない支柱で構成した場合は、浴槽のフランジ部と洗い場床パンのエプロン部の上端縁とのレベルが固定され、浴槽の全高が製造誤差などで大きくなった場合は、浴槽の全高を調整する方法がなくなる。そこでこの場合を考慮して、浴槽側フレームを構成する鋼材のうち、洗い場側の端部に位置する鋼材の高さが洗い場側と反対側の端部に位置する鋼材の高さよりも低くなるように、上下方向に段差を持たせることにより、浴槽部品の公差を段差によって吸収できる構造となる。
【００２６】
また請求項３記載の発明は、請求項１又は請求項２記載の効果に加えて、高さ調整機構を有していない支柱を浴槽側フレームの洗い場側の端部から一体に立設し、この支柱と洗い場ユニットの下面部とを固定具にて固定してなるので、浴槽側フレームに対する洗い場ユニットの取り付け作業が容易となり、また、狭い場所での作業がし易くなる。
【図面の簡単な説明】
【図１】  本発明の基本概念を説明する側面図である。
【図２】  同上の平面図である。
【図３】  同上の浴槽側フレームと洗い場ユニットの分解斜視図である。
【図４】  同上の浴槽側フレームと洗い場ユニットとを接続した状態の斜視図である。
【図５】  同上の浴槽側フレームと浴槽架台との連結部の説明図である。
【図６】  同上の浴槽のフランジ部とエプロン部とのシール状態の説明図である。
【図７】  本発明の実施形態の一例の説明図である。
【図８】  同上の支柱と洗い場ユニットとの固定部の説明図である。
【図９】  同上の浴槽を浴槽側フレームに設置する場合の説明図である。
【図１０】  従来の斜視図である。
【図１１】  従来の側面図である。
【符号の説明】
１  浴槽
１ａ  フランジ部
２  浴槽側フレーム
２ａ  洗い場側の端部
２ｂ  洗い場側と反対側の端部
３  洗い場ユニット
３ａ  浴槽側の端部
３ｂ  浴槽側と反対側の端部
３ｃ  下面部
５  エプロン部
５ａ  上端縁
６  高さ調整機構
７  支持脚
８  支柱
１０  固定具
１１  床スラブ
Ａ  段差
【図１】
0003705135.tif 000002
【図２】
0003705135.tif 000003
【図３】
0003705135.tif 000004
【図４】
0003705135.tif 000005
【図５】
0003705135.tif 000006
【図６】
0003705135.tif 000007
【図７】
0003705135.tif 000008
【図８】
0003705135.tif 000009
【図９】
0003705135.tif 000010
【図１０】
0003705135.tif 000011
【図１１】
0003705135.tif 000012